(57)【要約】  本発明は内部が二重に密閉されるエアータイト口紅化粧品容器に関し、より詳細には下部容器と、前記下部容器上部に回転可能に結合されて外側に密閉ショルダーが形成された上部容器と、前記上部容器内で上昇して上側に口紅化粧品が付着された上昇ピストンと、前記上昇ピストン外側に固定結合される密閉ピストン及び前記下部容器に着脱されるオーバーキャップからなるが、前記上昇ピストン外周縁に密閉リングを形成して前記密閉リングが上部容器内周縁に密着した状態で上昇作動し、前記密閉ピストン外周縁に密閉羽根を形成して前記密閉羽根が上部容器の密閉ショルダー内周縁に密着するようにすることで、口紅化粧品容器の内部が上昇ピストンと密閉ピストンによって二重に密閉されて密閉力が向上した内部が二重に密閉されるエアータイト口紅化粧品容器に関する。
2019528927.tif 000002
【特許請求の範囲】
【請求項１】
下部容器を回転することに伴い上部容器内の口紅化粧品が上昇しながら引き出される口紅化粧品容器において、
前記下部容器上部に回転可能に結合される上部容器と、
前記上部容器内に形成されて、上側に口紅化粧品が付着された上昇ピストンと、
前記上部容器の密閉ショルダー内側に結合されて、密閉羽根が形成された密閉ピストン及び
前記上部容器を開閉するオーバーキャップを含み、
前記上昇ピストンは上部容器の内周縁に密着した状態で上昇作動し、密閉ピストンの密閉羽根は上部容器の密閉ショルダー内周縁に密着することを特徴とする内部が二重に密閉されるエアータイト口紅化粧品容器。
【請求項２】
前記下部容器内側には上下移動可能に設けられる第１作動部材と、
前記第１作動部材上部に係合される第２作動部材及び前記第１作動部材を弾性的に押し上げる弾性部材が結合されることを特徴とする請求項１に記載の内部が二重に密閉されるエアータイト口紅化粧品容器。
【請求項３】
前記上部容器の下部外周縁に密閉ショルダーが形成され、前記密閉ショルダーは上部容器の外周縁から一定の間隔離隔されて下側に延長形成されることを特徴とする請求項１に記載の内部が二重に密閉されるエアータイト口紅化粧品容器。
【請求項４】
前記上昇ピストン外側に密閉リングが形成されることを特徴とする請求項１に記載の内部が二重に密閉されるエアータイト口紅化粧品容器。
【請求項５】
前記密閉ピストンの密閉羽根は密閉ピストンの上部外周縁から下側に延長形成され、下部に向かうにつれ外側に傾斜して上部容器の内周縁に弾性的に密着することを特徴とする請求項１に記載の内部が二重に密閉されるエアータイト口紅化粧品容器。
【請求項６】
前記密閉ピストンの密閉羽根下部外周縁には密閉突輪が形成されて上部容器内周縁に密着することを特徴とする請求項１に記載の内部が二重に密閉されるエアータイト口紅化粧品容器。
【請求項７】
前記密閉ピストンは軟質の合成樹脂材質で形成されることを特徴とする請求項１に記載の内部が二重に密閉されるエアータイト口紅化粧品容器。
【発明の詳細な説明】
【技術分野】
【０００１】
本発明は、内部が二重に密閉されるエアータイト口紅化粧品容器に関し、より詳細には下部容器と、前記下部容器上部に回転可能に結合されて外側に密閉ショルダーが形成された上部容器と、前記上部容器内で上昇して上側に口紅化粧品が付着された上昇ピストンと、前記上昇ピストン外側に固定結合される密閉ピストン及び前記下部容器に着脱されるオーバーキャップからなるが、前記上昇ピストン外周縁に密閉リングを形成して前記密閉リングが上部容器内周縁に密着した状態で上昇作動し、前記密閉ピストン外周縁に密閉羽根を形成して前記密閉羽根が上部容器の密閉ショルダー内周縁に密着するようにすることで、口紅化粧品容器の内部が上昇ピストンと密閉ピストンによって二重に密閉されて密閉力が向上した内部が二重に密閉されるエアータイト口紅化粧品容器に関する。
【背景技術】
【０００２】
色調化粧品は、容貌を美しく変化させて皮膚を美しく演出させようとする目的で用いられる。
【０００３】
前記色調化粧品は皮膚の色を均一にして欠点をカバーするために用いられるベースメイクアップと唇、目、爪など部分的に立体感を高めるポイントメイクアップに区分されるが、前記ベースメイクアップにはメイクアップベース、ファンデーション、パウダーなどがあり、ポイントメイクアップには口紅、アイライナー、マスカラなどがある。
【０００４】
女性たちの色調化粧に必要な多様な化粧品のうち、前記口紅は唇を保護してより際立つように化粧するためのものであって、従来の口紅は多様な色感を有する化粧料組成物が棒状に製造されて口紅化粧品容器内側で昇降作動しながら引出または挿入される。
【０００５】
即ち、前記のような従来の一般的な口紅化粧品容器の構成は、化粧品容器の外形を維持するケースと、該ケースの内部にネジ式で設けられてケースの回転作動によってネジ山に沿って昇降作動し、スティック型化粧品が装着される口紅ホルダーと、前記ケースと口紅ホルダーとの間に設けられながらその一部が外側に露出するように設けられ、前記口紅ホルダーの上下移動を案内しながら化粧品を保護する保護管と、前記ケースの上部に締結されて保護管を安全に固定する締結キャップ及び前記ケースを開閉するオーバーキャップなどから構成されている。
【０００６】
しかし、前記従来の口紅化粧品容器は、オーバーキャップとケース、ケースと口紅ホルダー及びケースと保護管の結合が堅固でないため密閉力が劣るので、使用中に外部空気がケースの内部に流入し、これにより、口紅化粧品が外部空気と持続的に接触しながら変質または硬化する問題点があった。
【０００７】
前記のような問題点を解決するために、図１から分かるように、韓国公開特許第２０−２０１５−０００４４２４号に口紅化粧品容器の密閉構造が開示されたが、前記従来技術は円筒形容器体、締結キャップによって締結される保護管及び化粧品ホルダー、化粧品ホルダーに備えられるスティック型化粧品を有して容器体の回転作動によって化粧品ホルダーが保護管に案内されながら外部に出没する口紅化粧品容器であって、前記保護管の入口を密閉するように構成して外部空気の流入を遮断する。
【０００８】
しかし、前記従来技術は保護管と化粧品ホルダー及び締結キャップとの間に密閉構造が備えられておらず、保護管と化粧品ホルダーとの間または化粧品ホルダーと締結キャップとの間に外部空気が流入して口紅化粧品容器内部が密閉されない問題点があった。
【発明の概要】
【発明が解決しようとする課題】
【０００９】
本発明は、前記のような問題点を解決するために案出されたものであり、下部容器と、前記下部容器上部に回転可能に結合されて外側に密閉ショルダーが形成された上部容器と、前記上部容器内で上昇して上側に口紅化粧品が付着された上昇ピストンと、前記上昇ピストン外側に固定結合される密閉ピストン及び前記下部容器に着脱されるオーバーキャップからなるが、前記上昇ピストン外周縁に密閉リングを形成して前記密閉リングが上部容器内周縁に密着した状態で上昇作動し、前記密閉ピストン外周縁に密閉羽根を形成して前記密閉羽根が上部容器の密閉ショルダー内周縁に密着するようにすることで、口紅化粧品容器の内部が上昇ピストンと密閉ピストンによって二重に密閉されて密閉力が向上した内部が二重に密閉されるエアータイト口紅化粧品容器を提供する。
【００１０】
また、密閉ピストンを軟質の合成樹脂材質で形成し、前記密閉ピストンの上部外周縁から密閉羽根を下側に延長形成するが、前記密閉羽根が下部に向かうにつれ外側に傾斜して上部容器の密閉ショルダー内周縁に弾性的に密着するようにすることで、外部空気が上部容器内側に流入しないようにして口紅化粧品が外部空気によって変質または硬化することを防いだ内部が二重に密閉されるエアータイト口紅化粧品容器を提供することに目的がある。
【００１１】
また、下部容器内側に上下移動可能に第１作動部材を設け、上部容器下側に前記第１作動部材と鋸歯で係合される第２作動部材を結合するが、前記第１作動部材下側に第１作動部材を弾性的に押し上げる弾性部材を設けて第１作動部材と第２作動部材及び上部容器が相互密着するようにすることで、口紅化粧品容器の保管または携帯中にも密閉力が維持されて口紅化粧品が外部空気に露出しないようにした内部が二重に密閉されるエアータイト口紅化粧品容器を提供することに目的がある。
【課題を解決するための手段】
【００１２】
本発明は、下部容器を回転することに伴い上部容器内の口紅化粧品が上昇しながら引き出される口紅化粧品容器において、
前記下部容器上部に回転可能に結合される上部容器と、
前記上部容器内に形成されて、上側に口紅化粧品が付着された上昇ピストンと、
前記上部容器の密閉ショルダー内側に結合されて、密閉羽根が形成された密閉ピストン及び
前記上部容器を開閉するオーバーキャップを含み、
前記上昇ピストンは上部容器の内周縁に密着した状態で上昇作動し、密閉ピストンの密閉羽根は上部容器の密閉ショルダー内周縁に密着することを特徴とする内部が二重に密閉されるエアータイト口紅化粧品容器を提供する。
【００１３】
また、前記下部容器内側には上下移動可能に設けられる第１作動部材と、前記第１作動部材上部に係合される第２作動部材及び前記第１作動部材を弾性的に押し上げる弾性部材がさらに結合されることを特徴とする。
【００１４】
また、前記上部容器の下部外周縁に密閉ショルダーが形成され、前記密閉ショルダーは上部容器の外周縁から一定の間隔離隔されて下側に延長形成されることを特徴とする。
【００１５】
また、前記上昇ピストン外側に密閉リングが形成されることを特徴とする。
【００１６】
また、前記密閉羽根は密閉ピストンの上部外周縁から下側に延長形成され、下部に向かうにつれ外側に傾斜して上部容器の内周縁に弾性的に密着することを特徴とする。
【００１７】
また、前記密閉羽根の下部外周縁には密閉突輪が形成されて上部容器内周縁に密着することを特徴とする。
【００１８】
また、前記密閉ピストンは軟質の合成樹脂材質で形成されることが好ましい。
【発明の効果】
【００１９】
本発明にかかる内部が二重に密閉されるエアータイト口紅化粧品容器は、下部容器と、前記下部容器上部に回転可能に結合されて外側に密閉ショルダーが形成された上部容器と、前記上部容器内で上昇して上側に口紅化粧品が付着された上昇ピストンと、前記上昇ピストン外側に固定結合される密閉ピストン及び前記下部容器に着脱されるオーバーキャップからなるが、前記上昇ピストン外周縁に密閉リングを形成して前記密閉リングが上部容器内周縁に密着した状態で上昇作動し、前記密閉ピストン外周縁に密閉羽根を形成して前記密閉羽根が上部容器の密閉ショルダー内周縁に密着するようにすることで、口紅化粧品容器の内部が上昇ピストンと密閉ピストンによって二重に密閉されて密閉力が向上する効果がある。
【００２０】
また、本発明にかかる内部が二重に密閉されるエアータイト口紅化粧品容器は、密閉ピストンを軟質の合成樹脂材質で形成し、前記密閉ピストンの上部外周縁から密閉羽根を下側に延長形成するが、前記密閉羽根が下部に向かうにつれ外側に傾斜して上部容器の密閉ショルダー内周縁に弾性的に密着するようにすることで、外部空気が上部容器内側に流入しないようにして口紅化粧品が外部空気によって変質または硬化することを防ぐことができる。
【００２１】
また、本発明にかかる内部が二重に密閉されるエアータイト口紅化粧品容器は、下部容器内側に上下移動可能に第１作動部材を設け、上部容器下側に前記第１作動部材と鋸歯で係合される第２作動部材を結合するが、前記第１作動部材下側に第１作動部材を弾性的に押し上げる弾性部材を設けて第１作動部材と第２作動部材及び上部容器が相互密着するようにすることで、口紅化粧品容器の保管または携帯中にも密閉力が維持されて口紅化粧品が外部空気に露出しないようにする効果がある。
【図面の簡単な説明】
【００２２】
【図１】従来の口紅化粧品容器の密閉構造である。
【図２】本発明の一実施例にかかる口紅化粧品容器の斜視図である。
【図３】本発明の一実施例にかかる口紅化粧品容器の分解斜視図である。
【図４】本発明の一実施例にかかる口紅化粧品容器の部分断面図である。
【図５】本発明の一実施例にかかる口紅化粧品容器の断面図である。
【図６】本発明の一実施例にかかる口紅化粧品容器のオーバーキャップと内キャップが分離する姿を示す断面図である。
【図７】本発明の一実施例にかかる口紅化粧品容器の下部容器を回転させて口紅化粧品が引き出される姿を示す断面図である。
【図８】本発明の一実施例にかかる口紅化粧品容器の第１作動部材が回転する姿を示す部分斜視図である。
【図９】本発明の一実施例にかかる口紅化粧品容器から引き出された口紅化粧品で化粧をする姿を示す斜視図である。
【発明を実施するための形態】
【００２３】
本発明と本発明の実施によって達成される技術的課題は、次で説明する好ましい実施例によって明確にされる。以下、添付の図面を参照して本発明にかかる内部が二重に密閉されるエアータイト口紅化粧品容器の一実施例を詳細に考察すれば次の通りである。
【００２４】
図２は本発明の一実施例にかかる口紅化粧品容器の斜視図であり、図３は本発明の一実施例にかかる口紅化粧品容器の分解斜視図であり、図４は本発明の一実施例にかかる口紅化粧品容器の部分断面図であり、図５は本発明の一実施例にかかる口紅化粧品容器の断面図である。
【００２５】
本発明にかかる内部が二重に密閉されるエアータイト口紅化粧品容器は、下部容器１０を回転することに伴い上部容器２０内の口紅化粧品３５が上昇しながら引き出される口紅化粧品容器において、前記下部容器１０上部に回転可能に結合される上部容器２０と、前記上部容器２０内に形成されて、上側に口紅化粧品３５が付着された上昇ピストン３０と、前記上昇ピストン３０外側に結合されて、密閉羽根４２が形成された密閉ピストン４０及び前記上部容器２０を開閉するオーバーキャップ５０を含むが、前記上昇ピストン３０は上部容器２０の内周縁に密着した状態で上昇作動し、密閉ピストン４０の密閉羽根４２は上部容器２０の内周縁に密着することを特徴とする。
【００２６】
前記下部容器１０は上部が開放された円筒形態であり、下部容器１０中央にはリード軸挿入溝１１が形成され、前記リード軸挿入溝１１の外側上部にリード軸挿入突輪１２が延長形成される。
【００２７】
前記下部容器１０の内周縁とリード軸挿入突輪１２との間には、本発明にかかる口紅化粧品容器の部品が設けられる作動部材設置溝１３が形成される。
【００２８】
前記リード軸挿入突輪１２外側には図４から分かるように、多数の回転リブ１４が形成され、前記回転リブ１４外側には弾性部材設置溝１５が形成される。
【００２９】
前記下部容器１０の上部内周縁には上部容器２０が結合される結合環溝１６が形成される。
【００３０】
前記上部容器２０は下部容器１０上部に回転可能に結合される。
【００３１】
前記上部容器２０は上部容器２０内側に形成された上昇ピストン３０の垂直移動を案内するようになる。
【００３２】
前記上部容器２０の下部外周縁には密閉ショルダー２４が形成されるが、前記密閉ショルダー２４は上部容器２０の外周縁から一定の間隔離隔されて下側に延長形成される。
【００３３】
前記密閉ショルダー２４の上部外側は曲面をなして形成されることが好ましい。
【００３４】
これはオーバーキャップ５０が上部容器２０を覆いながら下部容器１０に結合される時、前記オーバーキャップ５０の下部が密閉ショルダー２４の上部外側にスムーズに挿入されるようにするためである。
【００３５】
前記密閉ショルダー２４の外周縁には下部容器１０の上端に着座される着座突輪２４２が突出形成される。
【００３６】
前記密閉ショルダー２４の着座突輪２４２下側には結合突輪２４４が形成されて下部容器１０内周縁に形成された結合環溝１６に結合される。
【００３７】
前記密閉ショルダー２４下部には図３から分かるように、多数の第２嵌合部２４６が形成される。
【００３８】
前記下部容器１０の作動部材設置溝１３には第１作動部材６０が設けられるが、前記第１作動部材６０は下部容器１０に上下移動可能に結合されて前記下部容器１０とともに回転する。
【００３９】
前記第１作動部材６０上端には第１鋸歯６２が形成されるが、前記第１鋸歯６２は片方向のみに傾斜するように形成される。
【００４０】
前記第１作動部材６０下部には多数の第１嵌合部６４が形成されるが、前記第１嵌合部６４は下部容器１０内側に形成された各々の回転リブ１４の間に挿入されて下部容器１０が回転する時、前記第１作動部材６０が下部容器１０内側で空回りせずに下部容器１０とともに回転するようにする。
【００４１】
前記第１作動部材６０下側には第１作動部材６０を弾力支持する弾性部材７０が形成され、前記弾性部材７０は下部容器１０の弾性部材設置溝１５に挿入される。
【００４２】
前記第１作動部材６０上側には第２作動部材８０が設けられるが、前記第２作動部材８０は上部容器２０と結合される。
【００４３】
前記第２作動部材８０下端には第２鋸歯８２が形成され、前記第２鋸歯８２は、第１作動部材６０の第１鋸歯６２と対応するように片側方向のみに傾斜面が形成されて前記第１鋸歯６２と係合するようになる。即ち、使用者が片手で上部容器２０をつかんで固定させ、もう片方の手で下部容器１０を回転させると、第２作動部材８０は上部容器２０とともに固定される反面、第１作動部材６０は下部容器１０とともに回転するが、この時、前記第２作動部材８０下端に形成された第２鋸歯８２と第１作動部材６０上端に形成された第１鋸歯６２の傾斜面が互いに相接しており、第１作動部材６０が弾性部材７０により弾性的に支持されるから、第１作動部材６０の第１鋸歯６２が第２作動部材８０の第２鋸歯８２を弾性的に乗り越えながら前記第１作動部材６０が第２作動部材８０から片方向のみに回転するようになる。
【００４４】
前記第２作動部材８０外周縁には多数の嵌合溝８４が形成されて上部容器２０の第２嵌合部２４６が挿入される。これにより、前記下部容器１０が回転する時、第２作動部材８０が第１作動部材６０に伴って回らずに上部容器２０とともに固定される。
【００４５】
前記第２作動部材８０中央にはリード軸貫通穴８６が形成され、前記リード軸貫通穴８６外側には作動ネジ山８６２が形成される。
【００４６】
本発明にかかる口紅化粧品容器は前記で考察したように、下部容器１０内側に上下移動可能に第１作動部材６０を設け、上部容器２０下側に前記第１作動部材６０と係合される第２作動部材８０を結合するが、前記第１作動部材６０下側に第１作動部材６０を弾性的に押し上げる弾性部材７０を設けて第１作動部材６０と第２作動部材８０及び上部容器２０が相互密着するようにする。
【００４７】
従って、口紅化粧品容器の保管または携帯中にも密閉力が維持されて口紅化粧品が外部空気に露出しなくなる。
【００４８】
前記下部容器１０のリード軸挿入突輪１２内側には第１作動部材６０と第２作動部材８０とを貫通して上昇するリード軸９０が結合される。
【００４９】
前記リード軸９０上端には上昇ピストン４０が結合されて、外周縁にはリード軸ネジ山９２が形成されて第２作動部材８０の作動ネジ山８６２とネジ結合される。
【００５０】
前記上昇ピストン３０は上部容器２０内で前記リード軸９０により上昇して、上側に口紅化粧品３５が付着される。
【００５１】
前記上昇ピストン３０外側には密閉リング３２が形成されるが、前記密閉リング３２は上部容器２０内周縁に密着した状態で上昇作動する。従って、下部容器１０を通じて上昇ピストン３０下側に流入した外部空気が口紅化粧品３５に接触して前記口紅化粧品３５が変質または硬化することを防ぐようになる。
【００５２】
前記固定ピストン４０は上部容器２０の密閉ショルダー２４内側に固定結合されるが、前記固定ピストン４０の上端は上部容器２０の下端に密着し、下端部は第２作動部材８０上部に結合されて固定される。
【００５３】
前記固定ピストン４０の外周縁には密閉羽根４２が形成される。
【００５４】
前記密閉羽根４２は密閉ピストン４０の上部外周縁から下側に延長形成されるが、下部に向かうにつれ外側に傾斜して上部容器２０の内周縁に弾性的に密着して口紅化粧品容器の密閉力を向上させる。
【００５５】
言い換えれば、本発明にかかる口紅化粧品容器は図５から分かるように、密閉ピストン４０外周縁に密閉羽根４２が形成されて前記密閉羽根４２が上部容器２０の密閉ショルダー２４内周縁に密着した状態で固定されており、口紅化粧品容器内部が一次密閉され、上昇ピストン３０外周縁に密閉リング３２が形成されて前記密閉リング３２が上部容器２０内周縁に密着した状態で上昇作動しながら口紅化粧品容器内部が二次密閉される。
【００５６】
従って、口紅化粧品容器の内部が上昇ピストン３０と密閉ピストン４０により二重に密閉されて密閉力が向上する。
【００５７】
また、前記密閉羽根４２の下部外周縁には上部容器２０の密閉ショルダー２４内周縁に密着する密閉突輪４２２が形成される。
【００５８】
前記密閉ピストン４０は弾性的に曲げられるように軟質の合成樹脂材質で形成されることが好ましい。
【００５９】
前記オーバーキャップ５０は上部容器２０を覆いながら下部容器２０に結合されて前記上部容器２０を開閉するようになる。
【００６０】
前記上部容器２０上側には口紅化粧品容器の密閉力向上のために内キャップ５６がさらに形成される。
【００６１】
前記内キャップ５６は上部容器２０上部を覆いながら結合されて、オーバーキャップ５０が下部容器１０に結合される時、内キャップ５６の上端がオーバーキャップ５０により圧迫される。
【００６２】
前記内キャップ５６の上部内側には遮断板５６２が形成され、前記遮断板５６２は片側に傾斜した形態で形成されて上部容器２０上端に密着する。
【００６３】
前記のように構成された内部が二重に密閉されるエアータイト口紅化粧品容器の組立方法を図面を参照して説明すれば次の通りである。
【００６４】
本発明にかかる内部が二重に密閉されるエアータイト口紅化粧品容器を組み立てるために、図３ないし図５から分かるように、下部容器１０内側に弾性部材７０と第１作動部材６０を設けるが、前記弾性部材７０が下部容器１０の弾性部材設置溝１５に挿入されるようにし、第１作動部材６０の第１嵌合部６４が下部容器１０の回転リブ１４の間に挿入されるようにする。
【００６５】
次に、リード軸９０に第２作動部材８０をネジ結合した後、前記リード軸９０と第２作動部材８０を下部容器１０の作動部材設置溝１３に結合するが、前記リード軸９０が下部容器１０のリード軸挿入突輪１２内側に挿入されながら第２作動部材８０の第２鋸歯８２が第１作動部材６０の第１鋸歯６２と係合するようにする。
【００６６】
次に、上部容器２０上側に内キャップ５６を結合した後、前記上部容器２０をひっくり返して上部容器２０下側から口紅化粧品３５内容物を注入して上昇ピストン３０を結合した後、口紅化粧品３５内容物を凝固させる。
【００６７】
次に、固定ピストン４０を下部容器１０内側に挿入して第２作動部材８０上部に結合し、前記のように組み立てられた上部容器２０を下部容器１０上部に結合するが、前記上部容器２０の結合突輪２４４が下部容器１０の結合環溝１６に結合されると同時に、上昇ピストン３０がリード軸９０上部に結合されるようにする。
【００６８】
この時、前記固定ピストン４０の外周縁に形成された密閉羽根４２が上部容器２０の密閉ショルダー２４内周縁に弾性的に密着して口紅化粧品容器内部の密閉力が向上する。
【００６９】
最後に、オーバーキャップ５０を下部容器１０上部に結合することで、本発明にかかる内部が二重に密閉されるエアータイト口紅化粧品容器の組立を完了する。
【００７０】
前記のように組み立てられた内部が二重に密閉されるエアータイト口紅化粧品容器の使用方法を図面を参照して説明すると次の通りである。
【００７１】
図６は本発明の一実施例にかかる口紅化粧品容器のオーバーキャップと内キャップが分離する姿を示す断面図であり、図７は本発明の一実施例にかかる口紅化粧品容器の下部容器を回転させて口紅化粧品が引き出される姿を示す断面図であり、図８は本発明の一実施例にかかる口紅化粧品容器の第１作動部材が回転する姿を示す部分斜視図であり、図９は本発明の一実施例にかかる口紅化粧品容器から引き出された口紅化粧品で化粧をする姿を示す斜視図である。
【００７２】
本発明にかかる内部が二重に密閉されるエアータイト口紅化粧品容器を使用するために、まず図６から分かるように、下部容器１０からオーバーキャップ５０と内キャップ５６を順次分離する。
【００７３】
以後、図７から分かるように、片手で上部容器２０をつかんで固定させ、もう片方の手で下部容器１０を片方向に回して第２作動部材８０から第１作動部材６０を回転させる。
【００７４】
前記第１作動部材６０の回転過程をさらに詳細に考察すると、図８から分かるように、第１作動部材６０上端に形成された第１鋸歯６２の傾斜面が第２作動部材８０下端に形成された第２鋸歯８２と互いに相接しているところを使用者が下部容器１０を回転させると第２作動部材８０は上部容器２０により固定される反面、第１作動部材８０は前記下部容器１０とともに回転する。
【００７５】
この時、前記第１作動部材６０は弾性部材７０により弾力支持されるから、第１作動部材６０の第１鋸歯６２が第２作動部材８０の第２鋸歯８２を弾性的に乗り越えながら回転する。
【００７６】
これと同時に、下部容器１０内側に設けられたリード軸９０もともに回転するが、前記リード軸９０は上部容器２０に固定されている第２作動部材８０とネジ結合されており、回転しながら徐々に上昇するようになる。
【００７７】
これにより、前記リード軸９０上部に結合された上昇ピストン３０が上部容器２０内周縁に密着した状態で上昇するようになり、前記上昇ピストン３０上部に付着された口紅化粧品３５も上昇しながら前記口紅化粧品３５の上部が上部容器２０上側に露出する。
【００７８】
以後、図９から分かるように、外部に露出した口紅化粧品３５を利用して唇の化粧をする。
【００７９】
化粧が終わった後は、口紅化粧品容器の保管または携帯のために下部容器１０に内キャップ５６とオーバーキャップ５０を再び結合する。
【００８０】
以上、本発明で説明したことは内部が二重に密閉されるエアータイト口紅化粧品容器を実施するための一つの実施例に過ぎず、本発明は前記実施例に限定されるものではない。添付の請求の範囲で請求するように本発明の要旨を逸脱せずに当該発明が属する分野で通常の知識を有する者であれば何人も多様な変更実施が可能な範囲まで本発明の範囲に属するものとみなされなければならない。
【符号の説明】
【００８１】
１０：下部容器
２０：上部容器
２４：密閉ショルダー
３０：上昇ピストン
３２：密閉リング
３５：口紅化粧品
４０：固定ピストン
４２：密閉羽根
５０：オーバーキャップ
６０：第１作動部材
７０：弾性部材
８０：第２作動部材
９０：リード軸
４２２：密閉突輪
【図１】
2019528927.tif 000003
【図２】
2019528927.tif 000004
【図３】
2019528927.tif 000005
【図４】
2019528927.tif 000006
【図５】
2019528927.tif 000007
【図６】
2019528927.tif 000008
【図７】
2019528927.tif 000009
【図８】
2019528927.tif 000010
【図９】
2019528927.tif 000011
【国際調査報告】
2019528927.tif 000012
2019528927.tif 000013
2019528927.tif 000014
2019528927.tif 000015